(57)【要約】【課題】貯留槽を設けるスペースを確保することができない建物においても、搬送水の利用により配管中の汚物搬送能力を向上させ、かつ搬送水の循環利用により、便器洗浄水量の大幅な削減が可能なトイレシステムを提供すること。【解決手段】便器１１と、上流側から下流側に向かうに従い下方に傾斜して配置され、便器１１の便器排水管１２が接続されることで、便器１１から排出された排出物及び該排出物を搬送する搬送水が流通する排水横管１３と、を備えるトイレシステムであって、排水横管１３は、その下流側に形成され前記搬送水を貯留する貯留部１３Ｃを含んで構成され、貯留部１３Ｃ内の搬送水を前記排水横管の上流部に供給する供給部２０を更に備えるトイレシステム１０を提供する。【選択図】図１
2017141630.tif 000002
【特許請求の範囲】
【請求項１】
便器と、
上流側から下流側に向かうに従い下方に傾斜して配置され、前記便器の便器排水管が接続されることで、前記便器から排出された排出物及び該排出物を搬送する搬送水が流通する排水横管と、を備えるトイレシステムであって、
前記排水横管は、その下流側に形成され前記搬送水を貯留する貯留部を含んで構成され、
前記貯留部内の搬送水を前記排水横管の上流部に供給する供給手段を更に備えるトイレシステム。
【請求項２】
前記排水横管の下流側に接続され、前記貯留部から搬送水をオーバーフローさせて外部に排出するオーバーフロー管を更に備える請求項１に記載のトイレシステム。
【請求項３】
前記オーバーフロー管は、前記排水横管の壁部の上側部分に接続される請求項２に記載のトイレシステム。
【請求項４】
前記貯留部は、前記排水横管の下流側の底面部が下方に傾斜して形成された傾斜部により構成され、
前記供給手段は、前記貯留部に配置された搬送ポンプを有する請求項１から３いずれかに記載のトイレシステム。
【請求項５】
前記排水横管及び前記供給手段は、トイレ設置面である床上に配設される請求項１から４いずれかに記載のトイレシステム。
【発明の詳細な説明】
【技術分野】
【０００１】
本発明は、トイレシステムに関する。
【背景技術】
【０００２】
従来、複数の便器の排出配管が接続される横枝管を備え、複数の便器から排出される排出物を横枝管内で滞留させることなく搬送するトイレシステムが知られている（例えば、特許文献１参照）。特許文献１に記載のトイレシステムにおいては、複数の便器の排出配管が接続される横枝管の上流側に流体噴出手段を設け、該流体噴出手段から噴出される流体により排出物を搬送する。
【先行技術文献】
【特許文献】
【０００３】
【特許文献１】特開２００２−１０６０１２号公報
【発明の概要】
【発明が解決しようとする課題】
【０００４】
しかしながら、特許文献１に記載のトイレシステムにおいて、搬送水の循環利用を行う場合、搬送水用の貯留槽を別途設ける必要があり、貯留槽設置のためのスペースを確保する必要があった。また、節水型便器の使用により、便器洗浄水量が減り、配管中の汚物搬送能力が低下していた。
【０００５】
本発明は、貯留槽を設けるスペースを確保することができない建物においても、搬送水の利用により配管中の汚物搬送能力を向上させ、かつ搬送水の循環利用により、便器洗浄水量の大幅な削減が可能なトイレシステムを提供することを目的とする。
【課題を解決するための手段】
【０００６】
上記目的を達成するため本発明は、便器（例えば、後述する便器１１）と、上流側から下流側に向かうに従い下方に傾斜して配置され、前記便器の便器排水管（例えば、後述する便器排水管１２、１１２）が接続されることで、前記便器から排出された排出物及び該排出物を搬送する搬送水（例えば、後述する搬送水Ｌ）が流通する排水横管（例えば、後述する排水横管１３、１１３、２１３）と、を備えるトイレシステムであって、前記排水横管は、その下流側に形成され前記搬送水を貯留する貯留部（例えば、後述する貯留部１３Ｃ）を含んで構成され、前記貯留部内の搬送水を前記排水横管の上流部（例えば、後述する上流部１３Ａ、１１３、２１３Ａ）に供給する供給手段（例えば、後述する供給部２０、１２０、２２０）を更に備えるトイレシステムを提供する。
【０００７】
また、前記排水横管の下流側に接続され、前記貯留部から搬送水をオーバーフローさせて外部に排出するオーバーフロー管（例えば、後述するオーバーフロー管１５、１１５、２１５）を更に備えることが好ましい。
【０００８】
また、前記オーバーフロー管は、前記排水横管の壁部（例えば、後述する壁部１３Ｄ  、１１３Ｄ、２１３Ｄ）の上側部分に接続されることが好ましい。
【０００９】
また、前記貯留部は、前記排水横管の下流側の底面部が下方に傾斜して形成された傾斜部（例えば、後述する傾斜部１３Ｅ、１１３Ｅ）により構成され、前記供給手段は、前記貯留部に配置された搬送ポンプを有することが好ましい。
【００１０】
また、前記排水横管及び前記供給手段は、トイレ設置面である床上（例えば、後述する床上２Ａ）に配設されることが好ましい。
【発明の効果】
【００１１】
本発明によれば、貯留槽を設けるスペースを確保することができない建物においても、搬送水の利用により配管中の汚物搬送能力を向上させ、かつ搬送水の循環利用により、便器洗浄水量の大幅な削減が可能なトイレシステムを提供することができる。
【図面の簡単な説明】
【００１２】
【図１】第１実施形態に係るトイレシステムを示す側面図である。
【図２】第１実施形態に係るトイレシステムを示す平面図である。
【図３】図１のＡ−Ａ線断面図である。
【図４】第１実施形態に係るトイレシステムを備えるトイレ空間の図である。
【図５】第１実施形態に係るトイレシステムを模式的に示す図である。
【図６】第２実施形態に係るトイレシステムを模式的に示す図である。
【図７】本実施形態に係るトイレシステムを多層階からなる建物に適用させた様子を説明するための図である。
【発明を実施するための形態】
【００１３】
以下、本発明の実施形態について、図面を参照しながら詳しく説明する。なお、第２実施形態以降の説明において、第１実施形態と共通する構成については、同一の符号又は共通の規則性を持って符号を付し、適宜その説明を省略する。
【００１４】
［第１実施形態］
図１は、第１実施形態に係るトイレシステムを示す側面図である。図２は、第１実施形態に係るトイレシステムを示す平面図である。図３は、図１のＡ−Ａ線断面図である。図４は、第１実施形態に係るトイレシステムを備えるトイレ空間の断面図である。図５は、第１実施形態に係るトイレシステムを示す模式的に示す図である。
【００１５】
図１〜図５に示すように、第１実施形態のトイレシステム１０は、建物１に設けられている。
ここで、図４に示すように、建物１の床上２Ａには、防火材で設けられる壁面３と、該壁面３の下方に設けられる配管設置部４と、後述する便器１１に洗浄水を供給する洗浄水供給管５と、トイレシステム１０と、を含んで構成される。配管設置部４は、上蓋４１と、側部４２と、を含んで構成される。配管設置部４は、防火材等により形成され、該配管設置部４には、洗浄水供給管５や後述する排水横管１３等が設置される。
【００１６】
続いて、本実施形態のトイレシステム１０は、便器１１と、便器排水管１２と、排水横管１３と、排水縦管１４と、オーバーフロー管１５と、供給部２０と、排気部５０と、制御部７０と、を含んで構成される。
【００１７】
便器１１は、建物１内の床上２Ａにおいて複数並んで設置される。便器１１は、便器排水管１２が斜め下方に延びて便器後方の配管設置部４の側部４２を貫通する壁排水式の便器である。便器排水管１２は、排水横管１３にそれぞれ接続される。
【００１８】
便器１１は、便器本体１１Ａ、該便器本体１１Ａの内側に設けられる便鉢１１Ｂと、該便鉢１１Ｂの洗浄水を貯留する洗浄水タンク１１Ｃと、該便器本体１１Ａの上部に設置されるベースプレート１１Ｄと、該洗浄水タンク１１Ｃ及びベースプレート１１Ｄを覆うように設置される本体カバー部材１１Ｅと、該本体カバー部材１１Ｅに回動自在に取り付けられる便蓋１１Ｆと、を含んで構成される。便器１１は節水型便器等が利用できる。
【００１９】
排水横管１３は排出物及び搬送水Ｌの流路として、床上２Ａに配置される。排水横管１３は、上流側から下流側に向かうに従い下方に傾斜している。排水横管１３の上流部１３Ａには、後述する供給部２０の搬送水供給管２２が接続され、排水横管１３の下流部１３Ｂには供給部２０の搬送ポンプ２１が接続される。
【００２０】
排水横管１３の下流部１３Ｂには、搬送水Ｌを貯留する貯留部１３Ｃと、オーバーフロー管１５が接続される壁部１３Ｄと、底面部が下方に凹んで形成された傾斜部１３Ｅと、該傾斜部１３Ｅと供給部２０の搬送ポンプ２１の間に設置される開閉弁１３Ｆとが、それぞれ設けられている。
【００２１】
貯留部１３Ｃは、排水横管１３の下流部１３Ｂの内壁の一部と、傾斜部１３Ｅと、開閉弁１３Ｆと、により形成される。貯留部１３Ｃ内に貯留される搬送水は、搬送ポンプ２１によって、搬送水供給管２２から排水横管１３内に供給される。
【００２２】
傾斜部１３Ｅは、排水横管１３の下流側において、その底面部が下方に凹んだ状態で形成される。そのため、傾斜部１３Ｅは、周辺に比べて一段低い。これにより、傾斜部１３Ｅから開閉弁１３Ｆの間には常時、搬送水Ｌが満たされている。
【００２３】
開閉弁１３Ｆは、供給部２０のメンテナンス時や、貯留部１３Ｃ内の搬送水Ｌの水位が所定値以下となった時等に、閉弁状態に切り替えられる。
【００２４】
排水縦管１４は、鉛直方向に延びて配置される。排水縦管１４には、オーバーフロー管１５が接続される。また、排水縦管１４の一端は下水道管に接続される。これにより、排水縦管１４は該オーバーフロー管１５から排水縦管１４内に流入する搬送水Ｌを下水道管に排水する。
【００２５】
オーバーフロー管１５は、排水横管１３の壁部１３Ｄに連通して設けられる。オーバーフロー管１５は、排水横管１３の壁部１３Ｄに接続する第１接続部１５Ａと、導出管１５Ｄに接続する第２接続部１５Ｂと、排水縦管１４に接続する導出管１５Ｄと、から構成される。
【００２６】
図３において、オーバーフロー管１５の第１接続部１５Ａ（壁部１３Ｄ）と第２接続部１５Ｂの間に、管の内径凡そ１／２〜２／３高さの段差１５Ｃが設けられる。そのため、排水横管１３の貯留部１３Ｃから流入する搬送水Ｌを、オーバーフロー管１５の段差１５Ｃがせき止める。各便器の使用により増量を続ける搬送水Ｌの高さが、段差１５Ｃの高さを超えた時点で、該搬送水の一部が導出管１５Ｄを伝い、排水縦管１４内に導出される。
【００２７】
供給部２０は、搬送ポンプ２１と、搬送水供給管２２と、開閉弁２３と、制御部７０と、を含んで構成される。供給部２０は、排水横管１３の貯留部１３Ｃ内に貯留される搬送水Ｌを、排水横管１３の上流部１３Ａに供給する。
【００２８】
搬送ポンプ２１は、貯留部１３Ｃ内に貯留される搬送水Ｌを、搬送水供給管２２内に圧送する。搬送ポンプ２１の搬送水Ｌの供給タイミングが、電気的に接続される制御部７０によって行われる。
【００２９】
開閉弁２３は、搬送水供給管２２の途中に設けられる。開閉弁２３の開弁・閉弁動作は、電気的に接続される制御部７０または手動操作によって行われる。
【００３０】
排気部５０は、建物１の屋上等に配置されるファン５１と、排水横管１３の上部から上方に向けて延びる排気管５２と、排水横管１３の下流部１３Ｂに溜まるエアーを排気する排気管５３と、ファン５１により吸引された空気を外気に放出する排気管５４と、制御部７０と、を含んで構成される。排気部５０は、排水横管１３内のガスを外気に放出するとともに、排水横管１３内部の圧力変動を抑える通気管となる。
【００３１】
また、本実施形態のトイレシステム１０では、排水横管１３と供給部２０の間で、搬送水Ｌの循環流路６０が形成される。
【００３２】
次に、本実施形態のトイレシステム１０による搬送水Ｌの循環利用に関する動作制御について説明する。
まず、搬送水供給制御条件が制御部７０に入力される。具体的には、以下の条件を入力した。
【００３３】
［搬送ポンプ２１の運転条件］
搬送水の給水全量：３０Ｌ／回
流量：１Ｌ／ｓｅｃ
次回循環までの待機時間：９０ｓｅｃ
【００３４】
そして、上記の運転条件が供給制御部２４に入力されると、搬送ポンプ２１の動作が開始される。
制御部７０は、搬送ポンプ２１に、排水横管１３の貯留部１３Ｃから、搬送水を搬送水供給管２２に圧送させる。これにより、搬送水Ｌは、排水横管１３内に排出される排出物と共に、排水横管１３の下流部１３Ｂへ搬送される。その結果、該搬送水Ｌは、排水横管１３の貯留部１３Ｃに貯留される。従って、搬送水の循環利用が可能となる。
【００３５】
なお、上述の搬送水供給制御は、上記制御方法に限られず、例えば、便器１１の使用頻度の多い日中は循環制御の回数を増やし、便器１１の使用頻度の少ない夜間には循環制御を停止させる。これにより、トイレシステム１０の省エネルギー制御が可能となる。
【００３６】
また、供給部２０の搬送ポンプ２１を常に動作させた状態で、搬送水Ｌを定期的に循環させ、貯留部１３Ｃ内の搬送水Ｌを撹拌させる。これにより、貯留部１３Ｃ内での汚物の堆積を抑制させる。
【００３７】
以上説明した、本実施形態に係るトイレシステム１０によれば、以下の効果が奏される。
【００３８】
本実施形態に係るトイレシステム１０では、便器１１と、上流側から下流側に向かうに従い下方に傾斜して配置され、便器１１の便器排水管１２が接続されることで、便器１１から排出された排出物及び該排出物を搬送する搬送水Ｌが流通する排水横管１３と、を備える構成にした。また、排水横管１３は、その下流側に形成され搬送水Ｌを貯留する貯留部１３Ｃを含んで構成されており、トイレシステム１０は貯留部１３Ｃ内の搬送水を排水横管１３の上流部１３Ａに供給する供給部２０を更に備えている。
これにより、排水横管１３に勾配をあまり付けられないような場合や、節水型便器の使用する場合等、便器１１の洗浄水だけでは排出物等の搬送が困難な状況の場合であっても、排出物を搬送水Ｌに搬送させることができる。
そして、一度、利用した搬送水Ｌは排水横管１３の貯留部に貯留できるため、別途貯留槽を設ける必要が無い。従って、改修工事等における施工性が向上すると共に、貯留槽を設けるスペースを確保することができない建物においても、搬送水の循環利用が可能なトイレシステムを提供できる。
【００３９】
また、本実施形態では、トイレシステム１０を、排水横管１３の下流側に接続され、貯留部１３Ｃから搬送水Ｌをオーバーフローさせて外部に排出するオーバーフロー管１５を更に備える構成にした。
【００４０】
これにより、便器１１からの排出物及び洗浄水により、増加する搬送水の一部を、オーバーフロー管１５から排水横管１３の外部に排水できる。その結果、搬送水Ｌは貯留部１３Ｃの所定容量以上に増えることが無い。従って、排水横管１３の勾配をあまり取ることができない場合であっても、搬送水の便器１１内への逆流等の発生が防止できる。
【００４１】
また、本実施形態では、オーバーフロー管１５は、排水横管１３の壁部１３Ｄの上側部分に接続される構成にした。
【００４２】
これにより、排水横管１３とオーバーフロー管１５の間に段差１５Ｃが形成される。該段差１５Ｃの位置を調整することで、搬送水Ｌの貯留量を調整できる。その結果、排水横管の勾配をあまり取ることができない場合であっても、貯留部１３Ｃには所定量の搬送水を貯留させておくことができる。
【００４３】
また、本実施形態では、貯留部１３Ｃは、排水横管１３の下流側の底面部が下方に傾斜して形成された傾斜部１３Ｅを有し、また、供給部２０は、貯留部１３Ｃに配置された搬送ポンプ２１を有する構成にした。
【００４４】
これにより、傾斜部１３Ｅには、常時、搬送水Ｌが満たされた状態となり、搬送ポンプ２１内へのエアーの入り込みを防ぐことができる。
また、必要に応じて、傾斜部１３Ｅに排水横管１３内に溜まる排出物の搬送が可能な容量に変更し、該傾斜部１３Ｅを貯留槽の代用とすることもできる。
【００４５】
また、本実施形態では、排水横管１３及び供給部２０は、建物の床上２Ａに配設される構成にした。具体的には、本実施形態に係る排水横管１３及び供給部２０は、床上２Ａで、且つ便器１１の背面に設置される。
【００４６】
これにより、床上２Ａ上に排水横管１３及び供給部２０を設置できる。そのため、本実施形態によれば、排水横管１３及び供給部２０の取り付け施工性が向上する。
他方で、床上２Ａと便器排水管１２の間の距離が短いことにより、排水横管１３の勾配があまり取れない便器１１であっても、上記構成の搬送水Ｌを循環させることができる。
【００４７】
［第２実施形態］
図６は、第２実施形態に係るトイレシステムを示す側面図である。図６に示すように、本実施形態に係るトイレシステム１１０は、便器排水管１１２と、排水横管１１３と、供給部１２０と、を床下２Ｂに設けた点で、第１実施形態と相違する以外は、第１実施形態と同一の構成である。
【００４８】
ここで、図６に示すように、便器１１は便器排水管１１２が下方に延びて床上２Ａを貫通する床排水式の便器である。また、排水横管１１３と供給部１２０とは接続された状態で床下２Ｂに配置される。
これにより、床下２Ｂであっても、上記第１実施形態と同様に、搬送水の循環経路１６０を形成できる。従って、本実施形態のトイレシステム１１０は、床下２Ｂにおいて、上記第１実施形態と同様の搬送効果を奏することができる。
本実施形態のトイレシステム１１０によれば、床下の狭い建物においても、搬送水の循環利用が可能なトイレシステムを提供することができる。
【００４９】
ここで、図７は、第１実施形態に係るトイレシステム１０を多層階からなる建物１に適用させた様子を説明するための図である。ここで、建物２０１の各階の床下には、排水横管と供給部を設置する空間が無い。そこで、各階の床上２Ａに第１実施形態に係るトイレシステム１０と同じ構成のトイレシステム２１０をそれぞれ設けている。
具体的には、下層階１Ｆ〜上層階３Ｆの各階の床上２０２Ａ〜２０２Ｃに、トイレシステム２１０Ａ〜２１０Ｃを適用させると共に、鉛直方向に延びる排水縦管２１４を、建物２０１の階層分だけ延長させて設け、該排水縦管２１４に各階のオーバーフロー管２１５Ａ〜２１５Ｃを接続させる。また、各階に設けられる吸気管を一つの吸気管２５２として連結させる。
これにより、各階の床上２０２Ａ〜２０２Ｃに、排水横管２１３Ａ〜２１３Ｃと供給部２２０Ａ〜２２０Ｃがそれぞれ設置される。その結果、本発明の実施形態によれば、床下が存在しない建物２０１であっても、搬送水Ｌの循環利用が可能なトイレシステム２１０に改修できるため、改修工事の施工性が向上する。
【００５０】
なお、本発明は上記各実施形態に限定されるものではなく、本発明の目的を達成できる範囲での変形、改良等は本発明に含まれる。
【符号の説明】
【００５１】
１…建物
２Ａ…床上
１１、１１１、２１１…便器
１２、１１２…便器排水管
１３、１１３、２１３…排水横管
１３Ａ、１１３、２１３Ａ…上流部
１３Ｃ、１１３Ｃ、２１３Ｃ…貯留部
１３Ｄ、１１３Ｄ、２１３Ｄ…壁部
１３Ｅ、１１３Ｅ、２１３Ｅ…傾斜部
１４、１１４、２１４…排水縦管
１５、１１５、２１５…オーバーフロー管
２０、１２０、２２０…供給部（供給手段）
２１、１２１、２２１…搬送ポンプ
【図１】
2017141630.tif 000003
【図２】
2017141630.tif 000004
【図３】
2017141630.tif 000005
【図４】
2017141630.tif 000006
【図５】
2017141630.tif 000007
【図６】
2017141630.tif 000008
【図７】
2017141630.tif 000009